(57)【要約】      （修正有）【課題】汗のにじむような劣悪な環境下においても、使用中の眼鏡のずれ落ちを確実に防止し得る眼鏡ずれ落ち防止具を提供する。【解決手段】眼鏡のずれ落ち防止具は、比較的硬質の弾性材料により形成されていて、額当て部５ａと、鼻筋当て部５ｂと、使用される眼鏡６の左右レンズ７を繋ぐ連結部８に係合可能のフック部３と、を有する。【選択図】図１
0003194948.tif 000002
【実用新案登録請求の範囲】
【請求項１】
比較的硬質の弾性材料により形成されていて、額当て部と、鼻筋当て部と、使用される眼鏡枠の左右レンズを繋ぐ連結部に係合可能のフック部と、を有する眼鏡ずれ落ち防止具。
【請求項２】
前記フック部に隣接して、前記フック部が前記連結部に係合した時前記フック部と協働して前記連結部を挟持する顎部を備えたグリッパーを有する請求項１に記載の眼鏡ずれ落ち防止具。
【請求項３】
照明灯取付け部を更に有する請求項１または２に記載の眼鏡ずれ落ち防止具。
【請求項４】
無色透明か又は人の肌色に近似の色合いを有する請求項１乃至３の何れかに記載の眼鏡ずれ落ち防止具。
【考案の詳細な説明】
【技術分野】
【０００１】
本考案は、眼鏡のずれ落ち防止具、特に、使用中の眼鏡が鼻筋からずれ落ちるのを防止するために用いられる眼鏡のずれ落ち防止具の構造に関する。
【背景技術】
【０００２】
眼鏡は、眼鏡使用者は勿論、作業によっては手放すことの出来ない必需品であり、終日使用されることが多い。そして、例えば、耳鼻咽喉科などの医療現場や、特殊な溶接作業現場等では、使用者の眼鏡に光源装置を取付けて使用されるようなことがある（特許文献１参照）。
【先行技術文献】
【特許文献】
【０００３】
【特許文献１】実用新案登録第３１７１５２７号公報
【考案の概要】
【考案が解決しようとする課題】
【０００４】
ところで、上述のような種々の態様で眼鏡が使用される場合、特に汗のにじむような湿度の高い環境とか、長時間下を向いて光を当てながら作業をする必要があるような場合、汗で眼鏡が鼻筋に沿って下方へずれ落ち、たびたび眼鏡全体を元の位置へ戻す必要の生じる場合があり、実用上問題があった。
【０００５】
そこで、本考案は、係る問題点に鑑みてなされたものであり、その目的とするところは、汗のにじむような劣悪な環境下においても、使用中の眼鏡のずれ落ちを確実に防止し得るずれ落ち防止具を提供することにある。
【課題を解決するための手段】
【０００６】
上記目的を達成するために、本考案による眼鏡のずれ落ち防止具は、比較的硬質の弾性材料により形成されていて、額当て部と、鼻筋当て部と、使用される眼鏡枠の左右レンズを繋ぐ連結部に係合可能のフック部と、を有することを特徴とする。
【０００７】
また、本考案による眼鏡のずれ落ち防止具は、上記フック部に隣接して、上記フック部が上記連結部に係合した時上記フック部と協働して上記連結部を挟持する顎部を有することを特徴とする。
【０００８】
また、本考案による眼鏡のずれ落ち防止具は、照明灯取付け部を更に有していることを特徴とする。
【０００９】
また、本考案による眼鏡のずれ落ち防止具は、無色透明か又は人の肌色に近似の色合いを有することを特徴とする。
【考案の効果】
【００１０】
本考案によれば、照明灯を取付けて使用する場合でも、ずれ落ち防止具の上下部分が額と鼻に弾圧接触してフィットするから、照明灯と眼鏡自体の重さは二分されて額と鼻に分散され、また、眼鏡レンズのつなぎ枠部分がずれ落ち防止具のフックに係合して保持されるように構成されているから、長時間の使用に対しても眼鏡のずれ落ちを確実に防止することができる。
【図面の簡単な説明】
【００１１】
【図１】本考案の第一実施例に照明灯を取付けて眼鏡との相対関係がわかるように示した斜視図である。
【図２】本考案の第一実施例の使用状態を示す側面図である。
【図３】本考案の第二実施例に照明灯を取付けて示した斜視図である。
【図４】本考案の第三実施例の斜視図である。
【図５】本考案の第四実施例で、（a）は側面図、（b）は正面図である。
【考案を実施するための形態】
【００１２】
以下、本考案の実施の態様を図示した実施例に基づき説明する。
図１は、使用される眼鏡との対応関係がわかるようにして示した、照明灯付き眼鏡ずれ落ち防止具の第一実施例の斜視図であり、１は対向する一対の側壁２，２に、使用される眼鏡６の左右レンズ７，７を繋ぐ連結部８に係合可能の一対のフック部３，３（一方のフック部は見えない）を、前壁に例えばＬＥＤ等の光源を内蔵した照明灯Ｌを取付けるための取付け部４を、後壁に額当て部５aと鼻当て部５bを有する短冊状の比較的硬質の弾性材料より成る圧接板５の中央部分を固着した箱型の枠体であり、本案の眼鏡ずれ落ち防止具は、基本的には、枠体１と圧接板５とで構成される。
この場合、枠体１は、好ましくは、プラスチックやアルミ等の硬質の軽量材料で構成され、圧接板５は、適度の硬さを有するプラスチック板が好適である。なお、圧接板５の鼻あて部５bは、鼻筋上への座りを良くするため、中央部が外側（図１において手前側）に若干凸状になるように湾曲せしめられている。
【００１３】
図２は、使用する眼鏡６の連結部８を枠体１のフック部３に係合させて眼鏡６と照明灯付き眼鏡ずれ落ち防止具を一体化させ、その眼鏡６を掛けた状態を示す概略図であるが、この状態では、圧接板５の額当て部５aは使用者の額に、また、鼻当て部５bは使用者の鼻筋上に、それぞれ適度の弾圧力で圧接して、照明灯及び眼鏡ずれ落ち防止具全体の重さを眼鏡だけで受けるのではなく、額と鼻とで分散して受けることが出来るようになっている。従って、使用者が汗をかいて顔面が濡れ気味になったような状態になっても、眼鏡６は勿論眼鏡ずれ落ち防止具自体もずれ落ちるようなことはなく、正規の位置に保持される。
このように、本考案に係る照明灯付き眼鏡ずれ落ち防止具を使用すれば、如何なる環境の作業現場においても、眼鏡のずれ落ち即ち照明スポットの位置ずれが確実に防止され、所要の作業を効率よく達成することができる。
【００１４】
図３は照明灯付き眼鏡ずれ落ち防止具の第二実施例の斜視図であるが、この実施例は、枠体１が円筒体よりなっていて、フック部３，３（一方のフック部は見えない）が円筒の直径方向に対向する周壁に形成されている点で第一実施例とは異なるが、その他の構成は第一実施例と基本的には同一であるので、第一実施例と実質上同一の部品及び部分には同一符号を付すに留め説明を省略する。なお、符号９は、眼鏡の連結部８がフック部３，３に係合された時の座りを安定させるため、円筒状枠体１の内壁に貼着されたスポンジ等の緩衝部材である。
この実施例においても使用時の作用効果は第一実施例の場合と同様であるので、説明を省略する。
【００１５】
図４は眼鏡ずれ落ち防止具の第三実施例の斜視図であるが、この実施例は、枠体１がコ字状をなしている点で、前記何れの実施例とも形態が異なるが、使用方法及び作用効果は記述の実施例と同様であるので、同一及び類似の部品には同一符号を付すに留め、詳細な説明は省略する。なお、この実施例は、照明灯Ｌと共に使用するのではなく、眼鏡ずれ落ち防止具そのもので、もっぱら眼鏡と共に使用される。この実施例から明らかなように、本考案に係る眼鏡ずれ落ち防止具部は、小型軽量であって、普通の眼鏡ケースに眼鏡と共に収納できるので、実用上極めて便利である。
この実施例においても使用時の作用効果は第一実施例の場合と同様であるので、説明を省略する。
【００１６】
図５は眼鏡ずれ落ち防止具の第四実施例を示しているが、この実施例は、枠体１の両側壁２，２間の底壁上に、操作部１０aと閉合習性を有するように弾圧された噛合部１０bと顎部１０cとを有するグリッパー１０を取り付けて、眼鏡への取付け時、グリッパー１０の操作部１０aを矢印（図５（a）参照）方向へ押して噛合部１０bを開き、眼鏡６の連結部８を、グリッパー１０の顎部１０cと枠体１のフック部３との間に挿入して挟持させることにより、眼鏡ずれ落ち防止具を眼鏡に取り付けるように構成した点で、上記何れの実施例とも異なる。この実施例によれば、眼鏡ずれ落ち防止具を、より確実に眼鏡に取り付け得るという利点がある。
【００１７】
上記何れの実施例の場合も、構成部品を無色透明の材料で構成するか、又は人の肌色に近似の色合のもので構成するようにすれば、外観上も人目につくことなく、便利に使用し得る。
【符号の説明】
【００１８】
１      枠体
２      側壁
３      フック部
４      照明灯取付け部
５      圧接板
５a     額当て部
５b     鼻当て部
６      眼鏡
７      レンズ
８      連結部
９      緩衝部材
１０    グリッパー
１０a   操作部
１０b   噛合部
１０c    顎部
Ｌ      照明灯
【図１】
0003194948.tif 000003
【図２】
0003194948.tif 000004
【図３】
0003194948.tif 000005
【図４】
0003194948.tif 000006
【図５】
0003194948.tif 000007